(57)【要約】【課題】水滴等を、水受けトレイに確実に誘導し、水受けトレイに貯水された水の満水状況を簡単・確実に認識可能とする。【解決手段】壁面等に埋め込められた凹部を有する箱体と、その箱体の凹部に手を挿入する手挿入部を有し、該手挿入部に挿入された手に気体を吹き出す気体吹出し口と、該気体吹出し口に気体を供給する気体供給手段と、前期気体吹出口から吹き出された気体によって吹き飛ばされた水滴等を受ける水受け部と、該水受け部に受けた水滴等を貯水する水受けトレイと、該水受けトレイに貯水された水量を認識できる水位認識手段を設けた。【選択図】  図１
2004290610.tif 000002
【特許請求の範囲】
【請求項１】
箱体の凹部に手を挿入する手挿入部を有し、該手挿入部に挿入された手に気体を吹き出す気体吹出し口と、該気体吹出し口に気体を供給する気体供給手段と、前記気体吹出口から吹き出された気体によって吹き飛ばされた水滴を受ける水受け部と、該水受け部に受けた水滴を貯水する水受けトレイとからなる手乾燥装置において、前記水受け部に前記水滴を水受けトレイへ導水する開口部を設け、前記水受けトレイに前記開口部にて前記水受けトレイ内の貯水水量を目視させる水位認識手段を設けたことを特徴とする手乾燥装置。
【請求項２】
前記水位認識手段は、一端が水受けトレイに固定された軸部と、他端に係止部を備え、前記軸部に係合する浮き体とからなることを特徴とする請求項１の手乾燥装置。
【請求項３】
前記浮き体は、外周に凸部を内周に係合凸部を備え、前記軸部には、前記浮き体を旋回上昇させるガイド手段を備え、前記係合凸部と前記ガイド手段との係合により、水位の上昇に伴ない旋回しながら上昇することを特徴とする請求項１及び請求項２記載の手乾燥装置。
【請求項４】
前記浮き体は、少なくとも一部を蛍光色にて着色されたことを特徴とする請求項１乃至請求項３記載の手乾燥装置。
【発明の詳細な説明】
【０００１】
【発明の属する技術分野】
本発明は、濡れた手に付着している水等を気体で吹き飛ばして乾燥させる手乾燥装置に関する。
【０００２】
【従来の技術】
手を出入れできる広さと奥行きを備えた処理空間に高圧空気流発生装置による作動気流をエアーノズルによって高速空気流として噴出させて処理空間内において手に付着した水分を高速空気流の運動エネルギーにより処理空間内に吹飛ばし手を乾燥する手乾燥装置であって、前記処理空間の下方に処理空間に生じた水を受け導水孔からその下に設けたタンクに流下させる水受けを設け、このタンクの水位レベルを前記水受けの導水孔を通して反射手段による反射光により認識できるようにした手乾燥装置が知られている。（例えば、特許文献１参照）
【０００３】
【特許文献１】
特開２００２−１１９４３９号公報（第２−１項、第６図）
【０００４】
【発明が解決しようとする課題】
しかしながら、特開２００２−１１９４３９号の構成では、明かりの少ない所や、照明の位置により水位レベルが認識できないという問題がある。また、明るい場所であっても、導水孔が小さかったり、導水孔の奥に設置されているため、反射手段を覗き込んで見なければ認識できないという問題があり、認識できずにタンクから水があふれ出る危険性がある。
【０００５】
本発明は、上記課題を解決するためになされたもので、本発明の目的は、吹き飛ばされた水滴を、水受けトレイに確実に誘導し、水受けトレイに貯水された水の水位を簡単・確実に認識可能とし、水があふれ出る前に処理できるようにすることで、床等の汚れを防止し清潔な手乾燥装置を提供することにある。
【０００６】
【課題を解決するための手段及びその作用・効果】
箱体の凹部に手を挿入する手挿入部を有し、該手挿入部に挿入された手に気体を吹き出す気体吹出し口と、該気体吹出し口に気体を供給する気体供給手段と、前記気体吹出口から吹き出された気体によって吹き飛ばされた水滴を受ける水受け部と、該水受け部に受けた水滴を貯水する水受けトレイとからなる手乾燥装置において、前記水受け部に前記水滴を水受けトレイへ導水する開口部を設け、前記水受けトレイに前記開口部にて前記水受けトレイ内の貯水水量を目視させる水位認識手段を設けた。
【０００７】
この構成によれば、水受けトレイの水位が確実に認識可能となり前記水受けトレイから水があふれ出すのを防止することができ、清潔な手乾燥装置を提供できる。
【０００８】
また、前記水受けトレイよりあふれ出た水により床面の汚れの防止もでき清掃の効率化も図れる。
【０００９】
また、水位認識手段を、一端が水受けトレイに固定された軸部と、他端に係止部を備え、前記軸部に係合する浮き体とからなる構成にする。
これにより、水位が上昇するにつれ浮き体が水受け部に設けた開口部近傍まで浮き上がり水受けトレイの水位の上昇が明確になり、前記水受けトレイから水があふれ出すのを防止でき清潔な手乾燥装置を提供できると共に前記水受けトレイよりあふれ出た水により床面の汚れの防止もでき清掃の効率化も図れる。
【００１０】
また、前記浮き体は、外周に凸部を内周に係合凸部を備え、前記軸部には、前記浮き体を旋回上昇させるガイド手段を備え、前記係合凸部と前記ガイド手段との係合により、水位の上昇に伴ない旋回しながら上昇する構成とする。
これにより、水受けトレイの満水状態がさらに明確になり前記水受けトレイから水があふれ出すのを防止でき清潔な手乾燥装置を提供できると共に前記水受けトレイよりあふれ出た水により床面の汚れの防止もでき清掃の効率化も図れる。
【００１１】
また、前記水認識手段を少なくとも一部を蛍光色にて着色した構成にする。
これにより、浮き体が明瞭になり、さらに水受けトレイの水位が明確になり前記水受けトレイから水があふれ出すのを防止でき清潔な手乾燥装置を提供できると共に前記水受けトレイよりあふれ出た水により床面の汚れの防止もでき清掃の効率化も図れる。
【００１２】
【発明の実施の形態】
以下に、本発明の実施の形態を添付図面に基づいて説明する。
【００１３】
図１は、本発明に係る壁面等に埋め込めて使用される手乾燥装置を示す斜視図であり、図２は、本発明に係る手乾燥装置の水受けトレイを箱体より外した場合を示す斜視図である。
【００１４】
図１及び図２に示すように、手乾燥装置Ａは、箱体１の該中央に開口部した手挿入口２が設けられており、この手挿入口２の上面に気体吹出口３が設けられている。また、手挿入口２の下部には気体吹出口３から吹き出された気体によって吹き飛ばされた水滴を受ける水受け部４が設けられている。この水受け部４の略中央に開口部１２が設けてあり、さらに、下方には水受け部４に付着した水滴を貯水する水受けトレイ６が設けられている。また、水受けトレイ６の正面には、開閉可能なアンダーカバー７が設けられている。また、図示は無いが表面カバー８の内部に、気体吹出口３へ気体を供給する気体供給手段が設けられている。
【００１５】
以上のように構成された手乾燥装置の動作について、以下に説明する。
【００１６】
使用者が手挿入口２に手を挿入すると、気体供給手段より気体が供給され、気体吹出口３から気体を吹出し、手に付着している水滴を吹き飛ばして，手の乾燥が行われる。
【００１７】
そして、気体吹出口３から吹出された吹出し風及び、吹出し風により吹き飛ばされた水滴は、水受け部４に集められ、集められた水滴は水受けトレイ６に貯水される。
【００１８】
図３は、本発明に係る手乾燥装置の第１の実施例を示す部分図である。
【００１９】
図３に示すように、浮き体９は水受けトレイ６の底部より突出した軸部６ａを上下に移動可能に係合させており、軸部６ａの上部は浮き体９の離脱を抑制する係止部６ｂを形成させた構成となっている。
【００２０】
図４は、本発明に係る手乾燥装置の第１の実施例が作動している部分図である。
【００２１】
図３、図４に示すように、開口部１２は浮き体９の略全景が見える大きさに開口されており、浮き体９の軸部６ａを中心として、浮き体９が配設された位置に対応する位置に配設されている。
水受けトレイ６に貯水された水等が増え水位が上昇した場合、軸部６ａの下方にあった浮き体９が水受け部４に設けた開口部１２近傍まで軸部６ａに沿って係止部６ｂまで浮き上がるように構成したものである。
【００２２】
このように構成すれば、開口部１２の部分から見難い内部を覗き込むことなく、水受けトレイ６内に貯水された水の水位上昇が確実に確認できるため、水受けトレイ６から水があふれ出すのを防止でき、清潔な手乾燥装置を提供できると共に水受けトレイ６よりあふれ出た水により床面の汚れの防止もでき清掃の効率化も図れる。
【００２３】
尚、浮き体９は、板状、筒状、球状等のいずれかを好適に用いることができる。
【００２４】
図５は、本発明に係る手乾燥装置の第２の実施例を示す部分図である。
【００２５】
図４、図５に示すように、水受けトレイ６に設けられた浮き体１０は、外周の一部に凸部１０ａを形成させ、内周の一部に係合凸部１０ｂを形成させた形状であり、一端を水受けトレイ６の底部に固定させ、他端に浮き体１０の離脱を抑制する係止部６ｂを形成させた軸部６ａに係合させた構成となっている。また、軸部６ａには水位の上昇により浮き体１０が最上位点まで上昇したら、凸部１０ａが開口部１２の中央部位置に来るように最下位点および最上位点を設定し、最下位点から最上位点までを旋回して結ぶガイド手段１１（傾斜溝）を形成し、内周の一部に形成させた係合凸部１０ｂはこのガイド手段１１と係合させている。これにより、水受けトレイ６内部の水位が最下位点にあるときは浮き体１０は最下位点位置にあり、水位の上昇により最下位点位置から最上位点にガイド手段１１（傾斜溝）に沿って上下移動することになる。
尚、旋回度数は、１回転未満であれば開口部１２の大きさや、形状により変更させてもよく、変更によりガイド手段１１（傾斜溝）の形状も変更可能である。
第２の実施例の場合、開口部１２は浮き体１０の全景が見える必要はなく、浮き体１０の軸部６ａの中心は開口部１２と対応する位置ではなく、開口部１２から浮き体１０の凸部１０ａの部分が見える位置とすることができる。
これにより、水受けトレイ６に開口させた開口部を小さくしても十分に水受けトレイ６に貯水された水等の水位を確認することができ、開口部からの固形物や塵の落下を防止でき、美観にも優れたものとなる。
【００２６】
図６は、本発明に係る手乾燥装置の第２の実施例が作動している部分図である。
【００２７】
図５、図６に示すように、浮き体１０の凸部１０ａは水受け部トレイの水が少ない場合は、水受け部４に設けた開口部１２より見えないが、水受けトレイ６に貯水された水等が増え水位が上昇した場合、浮き体１０が上昇するに従って回転し水受け部４に設けた開口部１２より見えるように構成となっている。
【００２８】
このように構成すれば、水受けトレイ６の水位が満水時のみ確実に認識でき、水受けトレイの水処理の時期が明確になり、水受けトレイ６から水があふれ出すのを防止でき、清潔な手乾燥装置を提供できると共に水受けトレイ６よりあふれ出た水により床面の汚れの防止もでき清掃の効率化も図れる。
【００２９】
尚、浮き体１０の凸部１０ａの一部分に印を設けた構成にし、満水時その部分が水受け部４に設けた開口部より見えるように構成しても良い。
【００３０】
さらに、浮き体１０は一部分が欠如した構成にし、満水時欠如した部分以外が水受け部４に設けた開口部より見えるように構成しても良い。
【００３１】
また、浮き体９及び浮き体１０の少なくとも一部を蛍光色で着色すれば、浮き体９及び浮き体１０が明瞭になり、さらに水受けトレイ６の水位が明確になり水受けトレイ６から水があふれ出すのを防止でき、清潔な手乾燥装置を提供できると共に水受けトレイ６よりあふれ出た水により床面の汚れの防止もでき清掃の効率化も図れる。
【００３２】
【発明の効果】
以上述べてきた通り、本発明の構成により、水受けトレイに貯水された水の水位を明確にし、水があふれ出る前に処理できるようにすることで、床等の汚れを防止し清潔な手乾燥装置を提供することが可能となる。
【図面の簡単な説明】
【図１】本発明に係る手乾燥装置を示す斜視図である。
【図２】本発明に係る手乾燥装置の水受けトレイを箱体より外した場合を示す斜視図である。
【図３】本発明に係る手乾燥装置の第１の実施例を示す部分図である。
【図４】本発明に係る手乾燥装置の第１の実施例が作動している部分図である。
【図５】本発明に係る手乾燥装置の第２の実施例を示す部分図である。
【図６】本発明に係る手乾燥装置の第２の実施例が作動している部分図である。
【符号の説明】
Ａ・・・手乾燥装置
１・・・箱体
２・・・手挿入口
３・・・気体吹出口
４・・・水受け部
６・・・水受けトレイ
６ａ・・・軸部
６ｂ・・・係止部
７・・・アンダーカバー
８・・・表面カバー
９、１０・・・浮き体
１０ａ・・・凸部
１０ｂ・・・係合凸部
１１・・・ガイド手段
１２・・・開口部
【図１】
2004290610.tif 000003
【図２】
2004290610.tif 000004
【図３】
2004290610.tif 000005
【図４】
2004290610.tif 000006
【図５】
2004290610.tif 000007
【図６】
2004290610.tif 000008